(57)【要約】【課題】医療現場で使用される薬剤の誤使用を防止可能で、注射器その他の医療材料などに貼り付ける分離ラベルの分離操作を容易かつ確実にし、薬剤に関する各種の薬剤情報を薬剤や医療行為の管理にも応用可能な薬剤ラベルおよび印字方法を提供すること。【解決手段】薬剤ラベルの裏面に粘着度の異なる粘着剤層を設けること、薬剤容器に貼り付けるラベル本体領域６の裏面の一部のみに強粘着剤層４を位置させることに着目したもので、ラベル本体領域６に分離用ミシン目１２を介して一体化している少なくとも二枚の第１の分離ラベル領域７および第２の分離ラベル領域８を設け、薬剤ラベルの裏面に強粘着剤層４および弱粘着剤層５を画成し、強粘着剤層４は、ラベル本体領域６の裏面の一部のみにこれを位置させ、弱粘着剤層５の一部に、分離ラベル領域７、８を位置させ、分離用ミシン目１２は、これを弱粘着剤層５の領域内に形成したことを特徴とする。【選択図】図２
2009240471.tif 000002
【特許請求の範囲】
【請求項１】
薬剤を容れる薬剤容器に貼り付け可能なラベル本体領域と、
このラベル本体領域に分離可能に一体化している分離ラベル領域と、を有する薬剤ラベルであって、
前記分離ラベル領域は、前記ラベル本体領域に分離用ミシン目を介して一体化している少なくとも二枚の第１の分離ラベル領域および第２の分離ラベル領域としてこれを構成するとともに、
当該薬剤ラベルの裏面に強粘着剤層および弱粘着剤層を画成し、
この強粘着剤層は、前記ラベル本体領域の裏面の一部のみにこれを位置させ、
この弱粘着剤層の一部に、前記分離ラベル領域を位置させ、
前記分離用ミシン目は、これを前記弱粘着剤層の領域内に形成したことを特徴とする薬剤ラベル。
【請求項２】
前記弱粘着剤層は、前記分離ラベル領域から前記分離用ミシン目をこえて前記ラベル本体領域の裏面に至っていることを特徴とする請求項１記載の薬剤ラベル。
【請求項３】
前記第１の分離ラベル領域および前記第２の分離ラベル領域には、その裏面に粘着剤層を形成していない第１のつまみ部および第２のつまみ部をそれぞれ設けていることを特徴とする請求項１記載の薬剤ラベル。
【請求項４】
前記ラベル本体領域、前記第１の分離ラベル領域および前記第２の分離ラベル領域のそれぞれの高さは、これを同一とすることを特徴とする請求項１記載の薬剤ラベル。
【請求項５】
薬剤を容れる薬剤容器に貼り付け可能なラベル本体領域と、
このラベル本体領域に分離可能に一体化している分離ラベル領域と、を有する薬剤ラベルの印字方法であって、
前記分離ラベル領域は、前記ラベル本体領域に分離用ミシン目を介して一体化している少なくとも二枚の第１の分離ラベル領域および第２の分離ラベル領域としてこれを構成するとともに、
これらの第１の分離ラベル領域および第２の分離ラベル領域に、互いに逆方向に同一内容の情報を印字し、さらに、
前記薬剤に関する薬剤情報を機械読み取り可能なコードにより、これらの第１の分離ラベル領域および第２の分離ラベル領域にそれぞれ印字することを特徴とする薬剤ラベルの印字方法。
【請求項６】
前記第１の分離ラベル領域および前記第２の分離ラベル領域には、その裏面に粘着剤層を形成していない第１のつまみ部および第２のつまみ部をそれぞれ設けるとともに、
前記薬剤の名称は、これらの第１のつまみ部および第２のつまみ部に少なくともその一部がかかるように、これを前記第１の分離ラベル領域および前記第２の分離ラベル領域に印字することを特徴とする請求項５記載の薬剤ラベルの印字方法。
【発明の詳細な説明】
【技術分野】
【０００１】
本発明は薬剤ラベルおよびその印字方法にかかるもので、とくに医療分野などにおいて薬剤の管理のために使用される薬剤ラベルおよびその印字方法に関するものである。
【背景技術】
【０００２】
従来から、医療現場において、薬剤容器に容れられた薬剤は、注射器に移し替えられて患者に投与されたり、点滴の輸液容器に混注して使用されているが、これらの注射器や点滴の輸液容器には薬剤の名称の表記が行われておらず、医療ミスを防止するために何らかの方策が要望されている。
【０００３】
この要望に応えて、薬剤情報が印刷されたラベルの一部を分離可能とし、注射器や点滴の輸液容器に分離ラベルを貼り付けるようにしたものがあるが（たとえば特許文献１）、分離ラベルの分離操作を確実に行うことが困難な場合があるという問題がある。
さらに、ラベル本体から分離される分離ラベルには限られた情報表示領域のみしかないため、その使用が誤使用防止に限定されているという問題がある。
【０００４】
【特許文献１】特開２００６−５５３９２号公報
【発明の開示】
【発明が解決しようとする課題】
【０００５】
本発明は以上のような諸問題にかんがみなされたもので、とくに医療現場で使用される薬剤の誤使用を防止可能な薬剤ラベルおよびその印字方法を提供することを課題とする。
【０００６】
また本発明は、注射器や点滴の輸液容器その他の医療材料や物品さらに書類などに貼り付ける分離ラベルの分離操作を容易かつ確実にすることができる薬剤ラベルおよびその印字方法を提供することを課題とする。
【０００７】
また本発明は、薬剤に関する各種の薬剤情報を薬剤や医療行為の管理にも応用可能な薬剤ラベルおよびその印字方法を提供することを課題とする。
【課題を解決するための手段】
【０００８】
すなわち本発明は、薬剤ラベルの裏面に粘着度の異なる粘着剤層（強粘着剤層および弱粘着剤層）を設けること、薬剤容器に貼り付けるラベル本体領域の裏面の一部のみに強粘着剤層を位置させることに着目したもので、第一の発明は、薬剤を容れる薬剤容器に貼り付け可能なラベル本体領域と、このラベル本体領域に分離可能に一体化している分離ラベル領域と、を有する薬剤ラベルであって、上記分離ラベル領域は、上記ラベル本体領域に分離用ミシン目を介して一体化している少なくとも二枚の第１の分離ラベル領域および第２の分離ラベル領域としてこれを構成するとともに、当該薬剤ラベルの裏面に強粘着剤層および弱粘着剤層を画成し、この強粘着剤層は、上記ラベル本体領域の裏面の一部のみにこれを位置させ、この弱粘着剤層の一部に、上記分離ラベル領域を位置させ、上記分離用ミシン目は、これを上記弱粘着剤層の領域内に形成したことを特徴とする薬剤ラベルである。
【０００９】
第二の発明は、薬剤を容れる薬剤容器に貼り付け可能なラベル本体領域と、このラベル本体領域に分離可能に一体化している分離ラベル領域と、を有する薬剤ラベルの印字方法であって、上記分離ラベル領域は、上記ラベル本体領域に分離用ミシン目を介して一体化している少なくとも二枚の第１の分離ラベル領域および第２の分離ラベル領域としてこれを構成するとともに、これらの第１の分離ラベル領域および第２の分離ラベル領域に、互いに逆方向に同一内容の情報を印字し、さらに、上記薬剤に関する薬剤情報を機械読み取り可能なコード（たとえばバーコードや二次元コードなど）により、これらの第１の分離ラベル領域および第２の分離ラベル領域にそれぞれ印字することを特徴とする薬剤ラベルの印字方法である。
【００１０】
上記弱粘着剤層は、上記分離ラベル領域から上記分離用ミシン目をこえて上記ラベル本体領域の裏面に至っていることができる。
【００１１】
上記第１の分離ラベル領域および上記第２の分離ラベル領域には、その裏面に粘着剤層を形成していない第１のつまみ部および第２のつまみ部をそれぞれ設けていることができる。
【００１２】
上記ラベル本体領域、上記第１の分離ラベル領域および上記第２の分離ラベル領域のそれぞれの高さは、これを同一とすることができる。
【００１３】
上記第１の分離ラベル領域および上記第２の分離ラベル領域には、その裏面に粘着剤層を形成していない第１のつまみ部および第２のつまみ部をそれぞれ設けるとともに、上記薬剤の名称は、これらの第１のつまみ部および第２のつまみ部に少なくともその一部がかかるように、これを上記第１の分離ラベル領域および上記第２の分離ラベル領域に印字することができる。
【００１４】
当該薬剤ラベルは、上記薬剤に関連する薬剤の名称、コード番号、ロット番号、さらには医事請求コードその他任意の薬剤情報を、上記ラベル本体領域、上記第１の分離ラベル領域および上記第２の分離ラベル領域に、医療現場において使用の直前に、あるいは薬剤の納入前にあらかじめそれぞれ印字可能である。
【発明の効果】
【００１５】
本発明による薬剤ラベルおよびその印字方法においては、ラベル本体領域に分離用ミシン目を介して一体化している少なくとも二枚の第１の分離ラベル領域および第２の分離ラベル領域を設けたので、薬剤容器に貼り付けるラベル本体領域以外に、注射器や点滴の輸液容器をはじめ、カルテその他の書類にも分離ラベル領域を貼り付けてることができ、薬剤誤使用の防止とともに、薬剤情報の管理にも役立てることができる。
【００１６】
とくに第一の発明によれば、薬剤容器に貼り付けるラベル本体領域の裏面の一部のみに強粘着剤層を位置させるとともに、弱粘着剤層の一部に、分離ラベル領域を位置させるようにしたので、ラベル本体領域と分離ラベル領域との間の分離用ミシン目は、弱粘着剤層のみに対向しているため、ラベル本体領域から分離ラベル領域を分離する操作を確実かつ容易に行うことができる。
【００１７】
とくに第二の発明によれば、薬剤に関する薬剤情報を機械読み取り可能なバーコードや二次元コードなどのコードにより、第１の分離ラベル領域および第２の分離ラベル領域にそれぞれ印字するようにしのたので、薬剤の入出庫管理を正確かつ迅速に実行可能であることはもとより、医療現場での薬剤情報の確認や、医事請求処理の迅速化を図ることができる。
【発明を実施するための最良の形態】
【００１８】
本発明は、薬剤ラベルの裏面に粘着度の異なる粘着剤層（強粘着剤層および弱粘着剤層）を設け、薬剤容器に貼り付けるラベル本体領域の裏面の一部のみに強粘着剤層を位置させるとともに、ラベル本体領域から分離可能な第１の分離ラベル領域および第２の分離ラベル領域を設けたので、分離ラベル領域の分離操作を確実かつ容易に行うことができるとともに、薬剤情報の適正かつ迅速な管理、および医療現場での薬剤誤使用防止に寄与することができる薬剤ラベルおよびその印字方法を実現した。
【実施例】
【００１９】
つぎに本発明の第１の実施例による薬剤ラベル１およびその印字方法を図１ないし図４にもとづき説明する。
図１は、薬剤ラベル１の平面図（表面図）、図２は、薬剤ラベル１の台紙３を剥離した状態の裏面図、図３は、図１のＩＩＩ−ＩＩＩ線断面図である。
とくに図３に示すように、薬剤ラベル１は、ラベル基材２と、台紙３（剥離紙）と、を有し、使用現場に応じて、単葉の形態でこれを使用するか、図１の仮想線で示すように複数枚を帯状に連成して使用するか、は任意である。
【００２０】
ラベル基材２は、単層形態でフィルム系基材で形成したもので、その裏面に、比較的粘着性が強い強粘着剤層４と、比較的粘着性が弱い弱粘着剤層５と、を互いに隣り合った状態で分割するように画成している。図２に示すように、中央部に強粘着剤層４を形成し、弱粘着剤層５をその左右に形成している。
【００２１】
とくに図１および図２に示すように、ラベル基材２を、中央に位置する矩形状のラベル本体領域６と、その左右両側に位置する少なくとも二枚の細長片状の第１の分離ラベル領域７および第２の分離ラベル領域８と、に画成している。
【００２２】
ラベル本体領域６は、薬剤に関する薬剤情報を印字する領域であり、たとえば薬剤の名称９、薬剤番号１０およびロット番号１１などをあらかじめ印刷するか、任意のプリンター（図示せず）に装填して、医療現場において使用直前に印字するようにしている。
【００２３】
第１の分離ラベル領域７および第２の分離ラベル領域８は、このラベル本体領域６に分離用ミシン目１２を介してそれぞれ分離可能に一体化しており、ラベル本体領域６と同様に、薬剤に関する薬剤情報を印字する領域である。
なお、第１の分離ラベル領域７および第２の分離ラベル領域８は、ラベル本体領域６のいずれかの側部に互いに隣り合った状態でこれを形成することもできる。
【００２４】
とくに図２および図３に示すように、強粘着剤層４は、ラベル本体領域６の裏面の一部（中央部）のみにこれを位置させるとともに、弱粘着剤層５の一部に第１の分離ラベル領域７および第２の分離ラベル領域８を位置させ、分離用ミシン目１２は、これを弱粘着剤層５の領域内に形成している。
すなわち、弱粘着剤層５は、第１の分離ラベル領域７および第２の分離ラベル領域８から分離用ミシン目１２をこえてラベル本体領域６の裏面において左右側縁部にまで至っている。
【００２５】
第１の分離ラベル領域７および第２の分離ラベル領域８には、そのいずれかの端部に第１のつまみ部１３および第２のつまみ部１４をそれぞれ設け、それぞれの裏面は粘着剤を塗布していない非粘着層１５としてある。
なお、第１のつまみ部１３および第２のつまみ部１４は、第１の分離ラベル領域７および第２の分離ラベル領域８について互いに上下逆の方向に位置させて、いずれの方向からでもつまむことができるようにしている。
これらの第１の分離ラベル領域７および第２の分離ラベル領域８に、互いに逆方向に同一内容の薬剤情報を印字することにより、薬剤情報（とくに前記薬剤の名称９）の目視を任意の方向から行うことができる。
また、薬剤の名称９は、これらの第１のつまみ部１３および第２のつまみ部１４に少なくともその一部がかかるように、これを印字して、これらをつまむ際に作業者が薬剤の名称９を必ず目視して誤認を防止可能としている。
【００２６】
さらに、薬剤に関する薬剤情報を、機械読み取り可能ないし光学読み取り可能なコード（たとえば二次元コード１６）により、これらの第１の分離ラベル領域７および第２の分離ラベル領域８にそれぞれ印字している。
【００２７】
なお、ラベル本体領域６、第１の分離ラベル領域７および第２の分離ラベル領域８のそれぞれの高さを同一とすることにより、材料の節約と、帯状に形成した際の処理作業の容易化と、を図ることができる。
【００２８】
こうした構成の薬剤ラベル１において、薬剤発注時にその発注書とともに薬剤ラベル１を卸売り業者に送付し、卸売り業者は、たとえば薬剤の名称９、薬剤番号１０およびロット番号１１などをあらかじめ印刷した薬剤ラベル１を薬剤容器１７（図４）に貼り付けた状態で納入する。
この納入時に二次元コード１６を読み取ることにより、入庫管理を行うことができる。
もちろん、薬剤ラベル１への薬剤の名称９などの印字処理を医療現場での使用直前に行うこともできる。
【００２９】
図４は、薬剤ラベル１の使用形態の一例を示す説明図であって、薬剤容器１７にラベル本体領域６を貼り付けるとともに、分離用ミシン目１２の部分で第１の分離ラベル領域７および第２の分離ラベル領域８を分離し、第１の分離ラベル領域７をたとえば点滴の輸液容器１８に、第２の分離ラベル領域８をカルテ１９に貼り付けて、以後の薬剤情報の管理に役立てることができる。
ラベル本体領域６から第１の分離ラベル領域７および第２の分離ラベル領域８を分離する際に、分離用ミシン目１２がラベル基材２の裏面において弱粘着剤層５に臨んでいるため、第１の分離ラベル領域７および第２の分離ラベル領域８の分離操作を容易かつ確実に行うことができる。
【００３０】
なお、第１のつまみ部１３および第２のつまみ部１４をつまむときに、作業者は、薬剤の名称９を必ず目視可能であり、誤使用の防止機能を向上させることができる。
【００３１】
かくして、薬剤の入出庫処理を二次元コード１６などにより迅速に実行可能であるとともに、正確さを期することができる。
さらに、医療の現場においても、薬剤の誤使用を確実に防止可能である。
【００３２】
図５は、本発明の第２の実施例による薬剤ラベル２０の平面図（表面図）、図６は、薬剤ラベル２０の台紙３を剥離した状態の裏面図である。なお、図１ないし図４と同様の部分には、同一の符号を付して、その詳述はこれを省略する。
薬剤ラベル２０は、既述の薬剤ラベル１と同様に構成しているが、その形状を単純化して、薬剤２０を帯状に製造する際の取扱いを容易にしているとともに、既述の薬剤ラベル１と同様に薬剤情報の管理および薬剤の誤使用防止に寄与することができる。
【図面の簡単な説明】
【００３３】
【図１】本発明の第１の実施例による薬剤ラベル１の平面図（表面図）である。
【図２】同、薬剤ラベル１の台紙３を剥離した状態の裏面図である。
【図３】同、図１のＩＩＩ−ＩＩＩ線断面図である。
【図４】同、薬剤ラベル１の使用形態の一例を示す説明図である。
【図５】本発明の第２の実施例による薬剤ラベル２０の平面図（表面図）である。
【図６】同、薬剤ラベル２０の台紙３を剥離した状態の裏面図である。
【符号の説明】
【００３４】
１  薬剤ラベル（第１の実施例、図１〜図４）
２  ラベル基材
３  台紙
４  強粘着剤層
５  弱粘着剤層
６  ラベル本体領域
７  第１の分離ラベル領域（分離ラベル領域）
８  第２の分離ラベル領域（分離ラベル領域）
９  薬剤の名称
１０  薬剤の薬剤番号
１１  薬剤のロット番号
１２  分離用ミシン目
１３  第１のつまみ部
１４  第２のつまみ部
１５  第１のつまみ部１３および第２のつまみ部１４の裏面の非粘着層（図２）
１６  二次元コード
１７  薬剤容器（図４）
１８  点滴の輸液容器
１９  カルテ
２０  薬剤ラベル（第２の実施例、図５、図６）
【図１】
2009240471.tif 000003
【図２】
2009240471.tif 000004
【図３】
2009240471.tif 000005
【図４】
2009240471.tif 000006
【図５】
2009240471.tif 000007
【図６】
2009240471.tif 000008